(57)【要約】【課題】フックの装着と取り外しが可能な綴じ具及びファイルを提供する。【解決手段】フック３は、係止片３０と基部３１とを有し、基部３１はフック出入口１０から綴じ具本体１の内部に挿入され、背面係合溝３２、表面係合溝３３、テーパ係合溝３４により綴じ具本体１内部に形成された背面係合突条１２、表面係合突条１３、テーパ係合突条１４と係合する。テーパ係合突条１４はテーパ面１５を備え、基部３１の下端部がテーパ面１５上を滑り、円滑にフック３を差し込むことができる。また背面係合突条１２と表面係合突条１３は、その頂部が綴じ具本体１の厚さ方向ほぼ同じ位置にあり、引き抜きの際に基部３１は背面係合突条１２と表面係合突条１３に反対方向から押されて、弓状に反った状態となり、円滑に引き抜き可能となる。【選択図】  図１
2004314316.tif 000002
【特許請求の範囲】
【請求項１】
綴じる対象物を係止する係止片と、該係止片を支持する基部とを有するフックと、該フックの基部を支持する綴じ具本体と、を有するファイル綴じ具において、
前記綴じ具本体が、フックの基部が出入り可能なフック出入口と、
基部の下端部を挿入方向に導くテーパ面を有するテーパ係合突条と、
基部を弓形状に反らせる反対方向に突出する背面係合突条と表面係合突条と、を備え、
前記フックの基部が、前記背面係合突条に係合する背面係合溝と、前記表面係合突条に係合する表面係合溝と、前記テーパ係合突条に係合するテーパ係合溝と、を備える、
ことを特徴とするファイル綴じ具。
【請求項２】
綴じ具本体が、その背面側にファイル背表紙の端部を係止するためのファイル係止片と、
ファイル背表紙に設けられた孔に嵌合するファイル係止突起と、
を有する請求項１に記載のファイル綴じ具。
【請求項３】
ファイル本体と、綴じる対象物を係止するフックと、該フックを支持する綴じ具本体と、を有するファイルにおいて、
前記綴じ具本体が、ファイルのファイル背表紙側にファイル背表紙の端部を係止するためのファイル係止片とファイル係止突起とを備え、
ファイルが、ファイル背表紙に前記ファイル係止片を貫入するための切欠と、前記ファイル係止突起を貫入するための孔と、を備える、
ことを特徴とするファイル。
【請求項４】
前記ファイル係止片とファイル背表紙との間に介装されるスペーサを更に備える、
請求項３に記載のファイル。
【請求項５】
前記スペーサがファイル背表紙の表側に装着され、ファイル用ラベルとして機能する、
請求項３に記載のファイル。
【発明の詳細な説明】
【０００１】
【発明の属する技術分野】
この発明は、ファイル綴じ具及びファイルに関する。
【０００２】
【従来の技術】
書類をファイルするためのファイル綴じ具には種々のタイプのものがあるが、その中に見開きの書類の上下端にフックを係止して止めるフック式のファイルが知られている。
このフック式綴じ具のフックはＵ字形状をなしており、一方を箱形状の本体に納めて、他方を該本体から露出させて書類をファイルする構成になっている（特許文献１参照）。
【０００３】
【特許文献１】登録実用新案第３０５２８７８号
【０００４】
【発明が解決しようとする課題】
しかし、従来のフック式綴じ具は、本体に裏蓋を設け、これを外して本体を開放してフックを本体に装着する構成であった。そのため、本体の構造が複雑になり製造コストが高くなると共に、蓋を係止する機構が必要になるため、本体の幅方向長さが限定され、フックを装着する幅が小さくなる等の問題があった。また、ユーザがフックを増減することが出来ない等の問題があった。
本発明は上記従来技術の問題を解決することを目的とする。
【０００５】
【課題を解決するための手段】
上記目的を達成するために、本発明は、綴じる対象物を係止する係止片と、該係止片を支持する基部とを有するフックと、該フックの基部を支持する綴じ具本体と、を有するファイル綴じ具において、前記綴じ具本体が、フックの基部が出入り可能なフック出入口と、基部の下端部を挿入方向に導くテーパ面を有するテーパ係合突条と、基部を弓形状に反らせる反対方向に突出する背面係合突条と表面係合突条と、を備え、前記フックの基部が、前記背面係合突条に係合する背面係合溝と、前記表面係合突条に係合する表面係合溝と、前記テーパ係合突条に係合するテーパ係合溝と、を備える、ことを特徴とする。
【０００６】
【発明の実施の形態】
以下本発明の実施の形態を図面に基づいて説明する。
図１において、綴じ具本体１は全体として箱形の形状をなしており、図５に示すようにファイル５のファイル背表紙５０の上下に一対装着されて用いられる。
【０００７】
図１と図２に示すように、綴じ具本体１にはフック出入口１０が設けられており、このフック出入口１０に複数のフック３を綴じ具本体１の幅方向に回動可能に係止するようになっている。
フック３は、Ｕ字形状の可撓性のある樹脂製の平板であり、係止片３０と基部３１とを有している。係止片３０は綴じ具本体１の外側に露出し、綴じる対象物である見開きの書類等を係止するようになっている。
【０００８】
基部３１はフック出入口１０から綴じ具本体１の内部に挿入され、背面係合溝３２、表面係合溝３３、テーパ係合溝３４により綴じ具本体１内部に形成された背面係合突条１２、表面係合突条１３、テーパ係合突条１４と係合して抜け落ちないように構成されている。
【０００９】
背面係合溝３２とテーパ係合溝３４は裏側（図２の左側）に形成され、表面係合溝３３は表側（係止片３０側）に形成され、上から背面係合溝３２、表面係合溝３３、テーパ係合溝３４の順に配設されている。
係止片３０の内側には複数の滑り止め溝３５が形成され、書類を確実に係止するようになっている。
【００１０】
背面係合突条１２、表面係合突条１３及びテーパ係合突条１４は夫々背面係合溝３２、表面係合溝３３、テーパ係合溝３４に対向する位置に設けられており、これらに係合してフック３の抜け落ちを係止するように構成されている。
背面係合突条１２と表面係合突条１３は図３の一点鎖線で示すように、その頂部が綴じ具本体１の厚さ方向ほぼ同じ位置に位置するように形成されている。また、テーパ係合突条１４は綴じ具本体１の厚さ方向、裏側から表側（図２の左側から右側）に向かって下方向に傾斜するテーパ面１５を備えている。
【００１１】
以上の構成の綴じ具本体１とフック３においては、フック出入口１０から取付と取り外しが可能であり、綴じ具本体１を分割可能としたり、蓋を設けて開放可能としたりする必要がない。
フック３の綴じ具本体１への装着方法及び取り外し方法を説明する。
図３に示すように、フック出入口１０からフック３の基部３１を差し込む。この時フック３を綴じ具本体１の幅方向に沿って寝かせて、図３において基部３１の背面厚みが見えるような状態で差し込む。
基部３１の下端部はテーパ係合突条１４に接触するが、テーパ面１５上を滑るため、円滑にフック３を差し込むことができる。
そして、図４に示すように基部３１は背面係合突条１２と表面係合突条１３に反対方向から押されて、弓状に反った状態で綴じ具本体１の内部に収納される。
前記したように、背面係合突条１２と表面係合突条１３の頂部は綴じ具本体１の厚さ方向に同じ位置にあるため、図４において基部３１はその厚さ分だけ逆方向に押されて弓状に反る。
図４の状態から、更にフックを押し込めば、係止部３０と基部３１のねじれと前記反りの作用により、フック３は回動し、更に９０度回動させてやれば、図２の状態となり、フック３の基部３１は綴じ具本体１内にしっかりと且つ回動可能に係止される。
【００１２】
フック３を抜く場合は、反対にフック３を９０度綴じ具本体１の前面側に倒して幅方向に寝かせる。これにより、背面係合突条１２、表面係合突条１３、テーパ係合突条１４による係合がとかれ、図４の状態となり基部３１が弓状に反って、基部３１の下端部が反り上がる。この状態でフック３をフック出入口１０から引き抜けば、基部３１を簡単に綴じ具本体１内部から引き抜くことが可能になる。
【００１３】
次に綴じ具本体１をファイルに装着する構造について説明する。
綴じ具本体１の背面側にはファイル係止片２０とファイル係止突起２１及び止め具孔２２が設けられている。
図５に示すように、ファイル５のファイル背表紙５０をファイル係止片２０の隙間２５に差し込み、ファイル背表紙５０の端部に設けられた切欠５１にファイル係止片２０を係合させる。そして更にファイル係止突起２１をファイル背表紙５０に形成した孔５２に差し込むように構成されている。そして、孔５２に樹脂製の止め具２９を装着して綴じ具本体１をファイル５に固定するように構成されている。
ファイル５には前記したように、ファイル背表紙５０の上端部と下端部に切欠５１を形成し、この切欠５１にファイル係止片２０を装着し、また孔５２を形成して、ファイル係止突起２１を装着するようになっている。
【００１４】
ファイル係止片２０と綴じ具本体１の背面との隙間２５は大きめに作成しておき、ファイル背表紙５０の厚さに応じてスペーサ２３を装着するようにしても良い。
図７にスペーサ２３の一例を示す。このスペーサ２３にも切欠２４と孔２８を設けておく。
なお、スペーサ２３をファイル背表紙５０の長さに応じた長さに形成し、綴じ具本体１とファイル背表紙５０の間ではなく、ファイル背表紙５０の表側に露出させて、ファイルのラベル等の機能を持たせることも可能である。
【００１５】
綴じ具本体１には前記したフック出入口１０に加えて、その下側に型用開口１１を設けてある。
フック出入口１０は背面係合突条１２に対向する位置にあり、また型用開口１１はテーパ係合突条１４に対向する位置にある。また綴じ具本体１の裏面側には表面係合突条１３に対向する位置に背面開口１８を設け、その下に背面開口１９を設けてある。
これらの、開口により、綴じ具本体１は一体的に成形できるように構成されている。
【００１６】
以上説明した実施形態においては、テーパ係合突条１４及び背面係合突条１２と表面係合突条１３の頂部の配置関係により、フック３をフック出入口１０から簡単に装着及び取り外しが可能であり、ユーザが任意にフック３の増減を行える。
また、綴じ具本体１に蓋を設けたり、分解可能に形成する必要が無く、一体ものとして作成できるから、製造が簡単でコスト低減が図れる。また、綴じ具本体１の幅方向全体にフック３を装着できる構造とすることができ、フック３も多数本装着できる。
また、ファイル係止片２０とファイル係止突起２１によりファイル５への装着が確実に行え、ファイル５側に切欠５１を形成することにより更に確実な装着が可能になる。
また、止め具２９を樹脂製とすれば、金属部分をなくすことが出来、廃棄処理が容易になる、等の利点がある。
【００１７】
【発明の効果】
以上説明したように本発明のファイル綴じ具とファイルによれば、フックの増減が簡単に行え、フックを多数装着することができ、コストも低減できる等の効果がある。
【図面の簡単な説明】
【図１】本発明の綴じ具の一実施形態を示す概略斜視図。
【図２】本発明の綴じ具の一実施形態を示す側断面図。
【図３】本発明の綴じ具の一実施形態の動作を示す説明図。
【図４】本発明の綴じ具の一実施形態の動作を示す説明図。
【図５】本発明のファイルの一実施形態の動作を示す説明図。
【図６】本発明のファイルの背表紙を示す部分図。
【図７】本発明のスペーサの一例を示す平面図。
【符号の説明】
１：綴じ具本体、３：フック、５：ファイル、１０：フック出入口、１１：型用開口、１２：背面係合突条、１３：表面係合突条、１４：テーパ係合突条、１５：テーパ面、１８：背面開口、１９：背面開口、２０：ファイル係止片、２１：ファイル係止突起、２２：止め具孔、２３：スペーサ、２４：切欠、２５：隙間、２８：孔、２９：止め具、３０：係止片、３１：基部、３２：背面係合溝、３３：表面係合溝、３４：テーパ係合溝、３５：滑り止め溝、５０：ファイル背表紙、５１：切欠、５２：孔。
【図１】
2004314316.tif 000003
【図２】
2004314316.tif 000004
【図３】
2004314316.tif 000005
【図４】
2004314316.tif 000006
【図５】
2004314316.tif 000007
【図６】
2004314316.tif 000008
【図７】
2004314316.tif 000009